(57)【特許請求の範囲】
【請求項１】
目地部を介して建てられた左右の建物の少なくとも一端部に、一方の建物と一体に形成された壁面を有する部位の目地部側の左右の床躯体に反目地部側が傾斜面に形成された目地部に開口する一対の凹部と、この一対の凹部の前記壁面側を除く部位を覆うように両側部が支持され、前記目地部が狭くなると両側部が前記左右の床躯体上に乗り上がるように両側部が傾斜面に形成された並列された複数個の皿状の目地プレートと、この複数個の目地プレートの中央部を常時前記目地部の中央部に位置させる、一方の目地部側の床躯体に取付けられたレール、このレールに一端部がスライド移動可能に取付けられ、他端部が他方の目地部側の床躯体に枢支された傾斜状態に配置される少なくとも２本以上の支持バー、この少なくとも２本以上の支持バーのほぼ中央部に枢支された補強バー、この補強バーに上下移動可能に枢支された前記複数個の目地プレートのほぼ中央部にそれぞれ取付けられた複数個の支持杆とからなる目地プレート中央維持機構と、前記壁面側の一対の凹部を覆う前記壁面側の目地プレートにスライド移動可能に所定量重なる壁面に当接するカバー板を備える端部目地プレートと、この端部目地プレートを常時壁面方向に付勢する付勢スプリングを用いた付勢機構とからなることを特徴とする床用目地装置。
【請求項２】
目地部を介して建てられた左右の建物の少なくとも一端部に、一方の建物と一体に形成された壁面を有する部位の目地部側の左右の床躯体に形成された目地部に開口する一対の凹部と、この一対の凹部の前記壁面側を除く部位を覆うように両側部が支持され、前記目地部が狭くなると両側部が前記左右の床躯体上に乗り上がる皿状の目地プレートと、この目地プレートの中央部を常時前記目地部の中央部に位置させる、傾斜状態で配置される移動可能な支持バーを備える目地プレート中央維持機構と、前記壁面側の一対の凹部を覆う前記目地プレートにスライド移動可能に所定量重なる壁面に当接するカバー板を備える端部目地プレートと、この端部目地プレートを常時壁面方向に付勢する付勢スプリングを用いた付勢機構とからなることを特徴とする床用目地装置。
【発明の詳細な説明】
【０００１】
【発明の属する技術分野】
本発明は目地部を介して建てられた左右の建物の少なくとも一端部に、一方の建物と一体に形成された、壁面を有する部位の床目地部を覆う床用目地装置に関する。
【０００２】
【従来の技術】
従来、この種の床用目地装置は目地部を覆う目地プレートと、この目地プレートの中央部を常時目地部の中央部に位置させる、少なくとも２個以上のパンタグラフ形状のリンク機構を用いた目地プレート中央維持機構とで構成されている。
【０００３】
【発明が解決しようとする課題】
従来の床用目地装置はパンタグラフ形状のリンク機構を用いた目地プレート中央維持機構を使用しているので、比較的軽量な目地プレートを用いる場合には、目地プレートを目的通りに目地部の中央部に位置させることができるが、皿状の目地プレート本体内にもモルタルを充填して、タイル等の床材を固定する目地プレートの場合、目地プレートが重く、パンタグラフ形状のリンク機構を用いた目地プレート中央維持機構ではスムーズに目地プレートをスライド移動させることができないという欠点があった。
また、一方の建物の床躯体に一端部を枢支し、他端部を他方の建物の床躯体に取付けられたレールにスライド可能に取付けられた、傾斜状態で配置される支持バーを用いる目地プレート中央維持機構を使用すると、重い目地プレートでも目地プレートをスライド移動可能に支持することができるが、目地部が広くなったり、狭くなったりした場合、目地プレートが前後方向に目地部が変化した寸法の半分の寸法分だけスライド移動して、端部に隙間が生じたり、壁面に衝突して損傷するという欠点があった。
【０００４】
本発明は以上のような従来の欠点に鑑み、重い目地プレートでもスムーズにスライド移動させることができるとともに、目地部が広くなったり、狭くなっても端部に隙間が生じたりすることがなく、安全に使用することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して建てられた左右の建物の少なくとも一端部に、一方の建物と一体に形成された壁面を有する部位の目地部側の左右の床躯体に反目地部側が傾斜面に形成された目地部に開口する一対の凹部と、この一対の凹部の前記壁面側を除く部位を覆うように両側部が支持され、前記目地部が狭くなると両側部が前記左右の床躯体上に乗り上がるように両側部が傾斜面に形成された並列された複数個の皿状の目地プレートと、この複数個の目地プレートの中央部を常時前記目地部の中央部に位置させる、一方の目地部側の床躯体に取付けられたレール、このレールに一端部がスライド移動可能に取付けられ、他端部が他方の目地部側の床躯体に枢支された傾斜状態に配置される少なくとも２本以上の支持バー、この少なくとも２本以上の支持バーのほぼ中央部に枢支された補強バー、この補強バーに上下移動可能に枢支された前記複数個の目地プレートのほぼ中央部にそれぞれ取付けられた複数個の支持杆とからなる目地プレート中央維持機構と、前記壁面側の一対の凹部を覆う前記壁面側の目地プレートにスライド移動可能に所定量重なる壁面に当接するカバー板を備える端部目地プレートと、この端部目地プレートを常時壁面方向に付勢する付勢スプリングを用いた付勢機構とで床用目地装置を構成している。
【０００７】
【発明の実施の形態】
以下、図面に示す実施の形態により、本発明を詳細に説明する。
【０００８】
図１ないし図１２に示す本発明の第１の実施の形態において、１は目地部２を介して建てられた左右の建物３、３の少なくとも一端部、本発明の実施の形態では両端部に一方の建物３と一体に形成された壁面４、４を有する部位の床目地部２を覆う本発明の床用目地装置で、この床用目地装置１は前記左右の建物３、３の目地部２側の左右の床躯体３ａ、３ａに反目地部側が傾斜面５、５に形成された目地部に開口する一対の凹部６、６と、この一対の凹部６、６の前記壁面４、４側を除く部位を覆うように両側部が支持され、前記目地部２が狭くなると両側部が前記左右の床躯体３ａ、３ａ上に乗り上がる、並列された複数個の皿状の目地プレート７と、この複数個の皿状の目地プレート７の中央部を前記目地部２の中央部に位置させる傾斜状態で配置される移動可能な支持バー８を備える目地プレート中央維持機構９と、前記壁面４、４側の一対の凹部６、６を覆う前記両端部の目地プレート７、７にスライド移動可能に所定量重なる端部目地プレート１０、１０と、この端部目地プレート１０、１０を常時壁面４、４方向に付勢する付勢スプリング１１、１１を用いた付勢機構１２、１２とで構成されている。
【０００９】
前記皿状の目地プレート７は図４に示すように、両側部が前記一対の凹部６、６の傾斜面５、５と面接触可能な傾斜面１３、１３に形成された、金属材で皿状に形成された目地プレート本体１４と、この目地プレート本体１４内に充填されたモルタルやコンクリート１５と、このモルタルやコンクリート１５の上面に設置したタイルや床化粧材等の床材１６とで構成されている。
【００１０】
前記目地プレート中央維持機構９は図５に示すように、一方の建物３の目地部２側の床躯体３ａにほぼ水平に固定されたレール１７と、このレール１７に一端部がスライド移動可能に取付けられ、他端部が他方の建物３の目地部側の床躯体３ａに固定された取付け金具１８に枢支ピン１９によって枢支された傾斜状態、本発明の実施の形態では４５度の傾斜で配置された少なくとも２本以上の支持バー８、８と、この少なくとも２本以上の支持バー８、８のほぼ中央部に枢支ピン２０、２０で枢支された補強バー２１と、この補強バー２１に上下移動可能に枢支された、前記複数個の目地プレート７のほぼ中央部にそれぞれ固定状態で取付けられた複数個の支持杆２２とで構成されている。
【００１１】
前記端部目地プレート１０、１０は図６に示すように、金属材で形成された板状の端部目地プレート本体２３と、この端部目地プレート本体２３の一端部より上方へ突出し、壁面４の開口部２４を覆うカバー板２５とで構成されている。
【００１２】
前記付勢機構１２、１２は図７に示すように、前記両端部の目地プレート７、７の外側壁面７ａのほぼ中央部下部寄りの部位に形成された貫通孔２６を貫通するように設けられたガイド筒２７と、このガイド筒２７内に収納された付勢スプリング１１と、前記ガイド筒２７内にスライド移動可能に一端部が挿入され、他端部が前記端部目地プレート１０に取付け板２８を介して固定された押し圧杆２９とで構成されている。
【００１３】
上記構成の床用目地装置１は、地震等によって左右の建物３、３が目地部２が狭くなるように揺れ動いた場合には、図８および図９に示すように目地プレート中央維持機構９によって、複数個の目地プレート７の中央部は目地部２の中央部に維持されるため、複数個の目地プレート７の両側部は一対の凹部６、６の傾斜面５、５によって上方へ押し上げられながら左右の床躯体３ａ、３ａ上へ乗り上がり、その揺れ動きを吸収する。
この時、目地プレート中央維持装置９の支持バー８、８の傾斜角度が大きくなるように回動するため、目地部２の寸法が小さくなった分の半分の寸法が該支持バー８、８の中央部で前後方向に移動し、複数個の目地プレート７を該方向にスライド移動させる。
この複数個の目地プレート７が前後方向に移動しても、付勢機構１２、１２によって端部目地プレート１０、１０が壁面４、４方向に付勢され、壁面４、４と端部目地プレート１０、１０との間に隙間が生じたりするのを確実に防止することができる。
【００１４】
目地部２が広くなった場合には図１０および図１１に示すように、複数個の目地プレート７の両端部が一対の凹部６、６上をスライド移動して、その揺れ動きを前述と同様に吸収する。
【００１５】
左右の建物３、３が異なる前後方向に揺れ動いた場合には、図１２に示すように端部目地プレート１０、１０が付勢機構１２、１２の付勢スプリング１１、１１の弾性力によって常時壁面４、４に当接するように付勢された状態を保って、その揺れ動きを吸収することができる。
【００１６】
【発明の異なる実施の形態】
次に、図１３ないし図１８に示す本発明の異なる実施の形態につき説明する。なお、これらの本発明の異なる実施の形態の説明に当って、前記本発明の第１の実施の形態と同一構成部分には同一符号を付して重複する説明を省略する。
【００１７】
図１３および図１４に示す本発明の第２の実施の形態において、前記本発明の第１の実施の形態と主に異なる点は、一方の建物３と他方の建物３の他端部に手摺３０を設け、一端部にだけ端部目地プレート１０を設けるとともに、１枚の目地プレート７Ａを用いた点で、このように構成された床用目地装置１Ａにしても前記本発明の第１の実施の形態と同様な作用効果が得られる。
【００１８】
図１５および図１６に示す本発明の第３の実施の形態において、前記本発明の第２の実施の形態と主に異なる点は、補強バー２１に付勢スプリング１１と押し圧杆２９とを取付けた付勢機構１２Ａを用いた点で、このように構成された床用目地装置１Ｂにしても、前記本発明の第２の実施の形態と同様な作用効果が得られる。
【００１９】
図１７および図１８に示す本発明の第４の実施の形態において、前記本発明の第２の実施の形態と主に異なる点は、一対の凹部６、６に金属材製の下地板３１、３２を複数本のビス３３等によって固定するとともに、一方の下地板３１にレール１７を一体形成し、他方の下地板３２に取付け金具１８を設けるとともに、補強バーを用いない目地プレート中央維持機構９Ａを用いた点で、このように構成した床用目地装置１Ｃにしても、前記本発明の第２の実施の形態と同様な作用効果が得られる。
【００２０】
【発明の効果】
以上の説明から明らかなように、本発明にあっては次に列挙する効果が得られる。
【００２１】
（１）目地部を介して建てられた左右の建物の少なくとも一端部に、一方の建物と一体に形成された壁面を有する部位の目地部側の左右の床躯体に反目地部側が傾斜面に形成された目地部に開口する一対の凹部と、この一対の凹部の前記壁面側を除く部位を覆うように両側部が支持され、前記目地部が狭くなると両側部が前記左右の床躯体上に乗り上がるように両側部が傾斜面に形成された並列された複数個の皿状の目地プレートと、この複数個の目地プレートの中央部を常時前記目地部の中央部に位置させる、一方の目地部側の床躯体に取付けられたレール、このレールに一端部がスライド移動可能に取付けられ、他端部が他方の目地部側の床躯体に枢支された傾斜状態に配置される少なくとも２本以上の支持バー、この少なくとも２本以上の支持バーのほぼ中央部に枢支された補強バー、この補強バーに上下移動可能に枢支された前記複数個の目地プレートのほぼ中央部にそれぞれ取付けられた複数個の支持杆とからなる目地プレート中央維持機構と、前記壁面側の一対の凹部を覆う前記壁面側の目地プレートにスライド移動可能に所定量重なる壁面に当接するカバー板を備える端部目地プレートと、この端部目地プレートを常時壁面方向に付勢する付勢スプリングを用いた付勢機構とで構成されているので、目地プレート中央維持機構の作動によって、目地プレートが前後方向にスライド移動しても、そのスライド移動によって目地部に隙間が生じるのを端部目地プレートで確実に覆うことができる。
したがって、覆っている目地部に隙間が生じることなく、安全に使用することができる。
【００２２】
（２）支持バーを備えた目地プレート中央維持機構を用いているので、重い皿状の目地プレートでも確実に左右の建物の揺れ動きによって、スライド移動させることができる。
したがって、左右の建物の床面と同様な目地プレートを使用することができ、美観の向上を図ることができる。
【００２３】
（３）前記（１）によって、構造が簡単で、容易に製造することができる。
【００２４】
（４）請求項２も前記（１）〜（３）と同様な効果が得られる。
【図面の簡単な説明】
【図１】本発明の第１の実施の形態の平面図。
【図２】図１の２−２線に沿う拡大断面図。
【図３】図１の３−３線に沿う断面図。
【図４】本発明の第１の実施の形態の目地プレートの説明図。
【図５】本発明の第１の実施の形態の目地プレート中央維持機構の説明図。
【図６】本発明の第１の実施の形態の端部目地プレートの説明図。
【図７】本発明の第１の実施の形態の付勢機構の説明図。
【図８】本発明の第１の実施の形態の目地部が狭くなった場合の平面図。
【図９】本発明の第１の実施の形態の目地部が狭くなった場合の断面図。
【図１０】本発明の第１の実施の形態の目地部が広くなった場合の平面図。
【図１１】本発明の第１の実施の形態の目地部が広くなった場合の断面図。
【図１２】左右の建物が前後方向に動いた場合の説明図。
【図１３】本発明の第２の実施の形態の平面図。
【図１４】図１３の１４−１４線に沿う断面図。
【図１５】本発明の第３の実施の形態の平面図。
【図１６】図１５の１６−１６線に沿う断面図。
【図１７】本発明の第４の実施の形態の平面図。
【図１８】図１７の１８−１８線に沿う断面図。
【符号の説明】
１、１Ａ、１Ｂ、１Ｃ：床用目地装置、
２：目地部、            ３：建物、
４：壁面、
５：傾斜面、
６：凹部、
７、７Ａ：目地プレート、
８：支持バー、
９、９Ａ：目地プレート中央維持機構、
１０：端部目地プレート、１１：付勢スプリング、
１２、１２Ａ：付勢機構、１３：傾斜面、
１４：目地プレート本体、１５：モルタルやコンクリート、
１６：床材、            １７：レール、
１８：取付け金具、      １９：枢支ピン、
２０：枢支ピン、        ２１：補強バー、
２２：支持杆、          ２３：端部目地プレート本体、
２４：開口部、          ２５：カバー板、
２６：貫通孔、          ２７：ガイド筒、
２８：取付け板、        ２９：押し圧杆、
３０：手摺、            ３１、３２：下地板、
３３：ビス。
【図１】
0003662181.tif 000002
【図２】
0003662181.tif 000003
【図３】
0003662181.tif 000004
【図４】
0003662181.tif 000005
【図５】
0003662181.tif 000006
【図６】
0003662181.tif 000007
【図７】
0003662181.tif 000008
【図８】
0003662181.tif 000009
【図９】
0003662181.tif 000010
【図１０】
0003662181.tif 000011
【図１１】
0003662181.tif 000012
【図１２】
0003662181.tif 000013
【図１３】
0003662181.tif 000014
【図１４】
0003662181.tif 000015
【図１５】
0003662181.tif 000016
【図１６】
0003662181.tif 000017
【図１７】
0003662181.tif 000018
【図１８】
0003662181.tif 000019